(57)【要約】【課題】  仕切板に切り込みを形成する必要がなく、箱全体が小型化でき、組立が容易であること課題とする。【解決手段】  包装箱１０内を、中仕切板４４で仕切って第１収納部と第２収納部とに仕切り、小仕切板５８を包装箱１０内に折り畳んで第３収納部を形成し、第１収納部及び第２収納部には、取扱説明書、機器本体を収納し、第３収納部には小物類等を収納する。小仕切板５８は第１連接片の端辺４２Ａによって展開が防止されるので、第３収納部に収納された小物類等が、第１収納部内に飛び出すことがない。また、小仕切板５８を包装箱１０内に折り畳むだけという簡単な作業（差込み作業が不要）で、第３収納部が形成される。【選択図】    図３
2005239240.tif 000002
【特許請求の範囲】
【請求項１】
被包装物を出し入れ可能な開口部を有する箱本体と、
前記開口部の一辺と一体に連接され、前記箱本体の内壁へ折り畳まれる第１連接片と、
前記第１連接片と一体に連接され、前記箱本体内に折り畳まれると、前記箱本体に囲まれた収納空間を、上側の第１収納部と下側の第２収納部とに仕切る仕切板と、
前記一辺と直交する前記開口部の他辺と一体に連接された第２連接片と、
前記第２連接片と一体に連接され、前記箱本体内へ折り畳まれて第１収納部に第３収納部を形成する保持板と、
前記第１連接片に設けられ、前記箱本体内へ折り畳まれた前記保持板が展開するのを防止する展開防止手段と、
を備えたことを特徴とする包装箱。
【請求項２】
前記展開防止手段は、前記第１連接片に形成され、前記保持板の端部を係止する係止部であることを特徴とする請求項１に記載の包装箱。
【請求項３】
前記展開防止手段は、前記保持板の端部から突設された差込片と、前記第１連接片に形成され、前記保持板が箱本体内に折り畳まれたとき前記差込片の上辺を掛止する掛止部と、で構成されたことを特徴とする請求項１に記載の包装箱。
【請求項４】
前記差込片が前記保持板の自由端部から張り出して形成され、前記仕切板の前記第１連接片側の角部に形成された切込みに差し込まれることを特徴とする請求項３に記載の包装箱。
【請求項５】
前記差込片に爪部を設けたことを特徴とする請求項３または請求項４に記載の包装箱。
【請求項６】
前記展開防止手段は、前記第１連接片を折り曲げて前記収納空間へ張り出すように形成され、前記保持板の展開を阻止する折曲部であることを特徴とする請求項１に記載の包装箱。
【請求項７】
前記保持板は、前記箱本体内へ折り畳まれたとき、保持板の自由端部と前記仕切板との間に所定の隙間が形成される大きさであることを特徴とする請求項１〜請求項６のいずれか１項に記載の包装箱。
【請求項８】
前記保持板の自由端部に、指掛部が形成されたことを特徴とする請求項１〜請求項７のいずれか１項に記載の包装箱。
【発明の詳細な説明】
【技術分野】
【０００１】
本発明は包装箱に係り、特に、デジタルカメラ等の精密機器の包装に適用される包装箱に関する。
【背景技術】
【０００２】
従来より、デジタルカメラ等の精密機器を包装する包装箱の内部を複数の空間に仕切るために、箱本体と一体に形成された仕切板が用いられている。その仕切板で仕切られた上部収納空間内には、取扱説明書等の印刷物や付属部品等が収納され、下部収納空間には、デジタルカメラが収納されるようになっている。
【０００３】
また、付属部品等は小仕切板を用いて上部収納空間を区画し、その収納空間に収納される。収納空間に収納された付属品等が箱内部で動かないように、小仕切板は箱内部に固定されるようになっている。
【０００４】
その一例として、図１０に示すように、包装用箱１００の収納空間を、上方の収納空間と下方の収納空間とに仕切る第１の舌片１０２に、第２の舌片１０４の先端縁に連接された差込み片１０６が差し込まれる切り込み１０８を形成し、第２の舌片１０４の差込み片１０６を切り込み１０８に差し込む方法が開示されている（特許文献１参照）。図１１に示すように、第２の舌片１０４で仕切られた収納空間には付属品１１２が収納され、第１の舌片１０２の上には取扱説明書１１０が置かれる。
【０００５】
しかし、この方法を用いた場合には、第２の舌片１０４の差込み片１０６が第１の舌片１０２の切り込み１０８に差し込まれるため、第１の舌片１０２を取扱説明書１１０の大きさ以上のものを使用しなければならず、差込み片１０６を切り込み１０８に差し込むのが面倒である。また、箱が大型化してしまい、コストアップの要因ともなる。
【特許文献１】特許第３２７２０５４号（第４項、第１０図）
【発明の開示】
【発明が解決しようとする課題】
【０００６】
本発明は、上記事実を考慮して成されたものであり、仕切板に切り込みを形成する必要がなく、箱全体が小型化でき、組立が容易な包装箱を提供することを目的とする。
【課題を解決するための手段】
【０００７】
上記課題を解決するために、請求項１に記載の本発明の包装箱は、被包装物を出し入れ可能な開口部を有する箱本体と、前記開口部の一辺と一体に連接され、前記箱本体の内壁へ折り畳まれる第１連接片と、前記第１連接片と一体に連接され、前記箱本体内に折り畳まれると、前記箱本体に囲まれた収納空間を、上側の第１収納部と下側の第２収納部とに仕切る仕切板と、前記一辺と直交する前記開口部の他辺と一体に連接された第２連接片と、前記第２連接片と一体に連接され、前記箱本体内へ折り畳まれて第１収納部に第３収納部を形成する保持板と、前記第１連接片に設けられ、前記箱本体内へ折り畳まれた前記保持板が展開するのを防止する展開防止手段と、を備えたことを特徴としている。
【０００８】
請求項１に記載の発明によれば、箱本体は被包装物を出し入れ可能な開口部を有し、その開口部の一辺から第１連接片が一体に連接されている。その第１連接片を箱本体の内壁へ折り畳むと、第１連接片に一体に連接された仕切板が、箱本体に囲まれた収容空間を、上側の第１収納部と下側の第２収納部とに仕切る。また、第１連接片が連接された開口部の一辺に直交する開口部の他辺から一体に連接された第２連接片が箱本体内に折り畳まれ、第２連接片に一体に連接された保持板によって、第１収納部に第３収納部が形成される。さらに、第１連接片には展開防止手段が設けられており、箱本体内に折り畳まれた保持板の展開が防止されている。
【０００９】
箱本体内を、仕切板で仕切って第１収納部と第２収納部とに仕切り、保持版を箱本体内に折り畳んで第３収納部を形成し、第１収納部及び第２収納部には、たとえば取扱説明書、機器本体を収納し、第３収納部には小物類等を収納する。
【００１０】
このとき、保持板は第１連接片に設けられた展開防止手段によって展開が防止されるので、第３収納部に収納された小物類等が、第１収納部内に飛び出すことがない。また、保持板を箱本体内に折り畳むだけという簡単な作業（差込み作業が不要）で、第３収納部が形成される。
【００１１】
さらに、第３収納部に収納された小物類等を取出すときには、保持板を展開すればよく、簡単に小物類等が取出すことができ、使い勝手が良い。
【００１２】
請求項２に記載の本発明の包装箱は、前記展開防止手段は、前記第１連接片に形成され、前記保持板の端部を係止する係止部であることを特徴としている。
【００１３】
請求項２に記載の発明によれば、第１連接片に係止部が形成され、その係止部に保持板の端部が係止されることで、保持板が展開するのを防止する。
【００１４】
保持板の展開防止として、仕切板に穴を穿設して保持板を差し込んで保持板の展開を防止する構成と比べたとき、組み立てに要する時間が少なくなることからも、コストダウンにつながる。
【００１５】
請求項３に記載の本発明の包装箱は、前記展開防止手段は、前記保持板の端部から突設された差込片と、前記第１連接片に形成され、前記保持板が箱本体内に折り畳まれたとき前記差込片の上辺を掛止する掛止部と、で構成されたことを特徴としている。
【００１６】
請求項３に記載の発明によれば、保持板が箱本体内に折り畳まれ、保持板の端部から突設された差込片の上辺が、第１連接片に係止された掛止部に掛止される。
【００１７】
保持板の差込片が、第１連接片に形成された掛止部に掛止され、差込片の上方の移動が阻止され、保持板の展開が防止される。
【００１８】
請求項４に記載の本発明の包装箱は、前記差込片が前記保持板の自由端部から張り出して形成され、前記仕切板の前記第１連接片側の角部に形成された切込みに差し込まれることを特徴としている。
【００１９】
請求項４に記載の発明によれば、保持板を箱本体内に折り畳み、保持板の差込片を仕切板の第１連接片側の角部に形成された切り込みに差し込んだとき、差込片は保持板の自由端部よりも張り出して形成されているので、切り込みから抜け出せないようになっている。したがって、差込片と切り込みとで、保持板の展開が防止される。
【００２０】
請求項５に記載の本発明の包装箱は、前記差込片に爪部を設けたことを特徴としている。
【００２１】
請求項５に記載の発明によれば、保持板の差込片に爪部が設けられ、保持板の差込片を切り込みに差し込んだとき、爪部が切り込みに引っ掛かって抜け出さないようになっており、保持板が展開しない。
【００２２】
請求項６に記載の本発明の包装箱は、前記展開防止手段は、前記第１連接片を折り曲げて前記収納空間へ張り出すように形成され、前記保持板の展開を阻止する折曲部であることを特徴としている。
【００２３】
請求項６に記載の発明によれば、第１連接片を折り曲げた折曲部で保持板の展開を阻止する。
【００２４】
折曲部は第１連接片を折り曲げ、収納空間に張り出すように形成されているので、保持板に展開防止用の部材等を形成しなくても、確実に保持板の展開が阻止される。また、第１連接片の部分の寸法を屈曲部の分だけ長くすればよく、箱本体の構造が非常に簡単となる。
【００２５】
請求項７に記載の本発明の包装箱は、前記保持板は、前記箱本体内へ折り畳まれたとき、保持板の自由端部と前記仕切板との間に所定の隙間が形成される大きさであることを特徴としている。
【００２６】
請求項７に記載の発明によれば、保持板の自由端部と仕切板との間には所定の隙間が形成され、その所定の隙間とほぼ同じ寸法の厚みのものであれば、仕切板上全体に載置可能となる。
【００２７】
このことから、仕切板と同サイズの印刷物等を第１収納部に載置することができ、その印刷物等の上に保持板によって第３収納部が形成され、小物類を収納することができる。
【００２８】
第１収納部に印刷物等を収納し、その上に小物類等を収納することができるので、仕切板の上の空間が有効に利用できる。したがって、箱のサイズが大きくならないので、箱に用いる材料が少なく済み、コストダウンになる。
【００２９】
請求項８に記載の本発明の包装箱は、前記保持板の自由端部に、指掛部が形成されたことを特徴としている。
【００３０】
請求項８に記載の発明によれば、保持板の自由端部に指掛部が形成されており、その指掛部に指を掛けて保持板を展開させれば、第３収納部内に収納された小物類等を取出すときに楽である。
【発明の効果】
【００３１】
本発明は上記構成としたので、仕切板に切り込みを形成する必要がなく、箱全体が小型化でき、組立が容易となる。
【発明を実施するための最良の形態】
【００３２】
図１は、第１の実施形態に係る包装箱１０の印刷面側の展開図であり、図２及び図３は、本発明の第１の実施形態に係る包装箱１０の斜視図である。なお、二点鎖線は所謂折目を意味し、二点鎖線をはさんで組み立てられた状態で外側になる面（印刷面）にディスプレイ効果を持たせるための印刷が施される。
【００３３】
図１〜図３に示すように、包装箱１０の側板１２、側板１４、側板１６、側板１８は、この順で一方向（矢印Ｈで図示）に、それぞれ折目ａ２、ａ３、ａ４を介して連接されている。折目ａ２、ａ３、ａ４は、印刷面と反対側の面（裏面）を内側にして、隣接する側面板同士が互いに直交するように折り曲げられる。
【００３４】
側板１２の折目ａ２と反対側の端辺には、糊代２０が折目ａ１を介して連接されており、側板１２と直交するように折目ａ１で折り曲げられ、側板１８の裏面に糊付けされる。これにより、側板１２、１４、１６、１８で筒体が形成され、包装箱１０の側壁となる。
【００３５】
一方、図中において側板１６の下辺には、底板２２が折目ｂ８を介して連接されており、折目ｂ８で折り曲げられ包装箱１０の底壁となる。また、底板２２から側板１６に渡って、略Ｕ字状の切込み３０が形成され、切り残された部分が板片２６となっている。側板１６と板片２６は折目ｂ１７で連接されており、板片２６は折目ｂ１７で折り曲げられ、さらに、裏面を内側にして折目ｂ１６で折り曲げられるようになっている。また、底板２２の上辺には、切込み３０から外側へ板厚幅のスリット３１が延設されており、後述する底板２４の止め板３６が差込まれるようになっている。
【００３６】
側板１４の下辺には底片３２が折目ｂ５を介して連接されており、裏面を内側にして折目ｂ５で側板１４と直交するように折り曲げられ、底板２２の印刷面に重ねられる。
【００３７】
側板１８の下辺には底片３４が折目ｂ１２を介して連接されており、裏面を内側にして折目ｂ１２で側板１８と直交するように折り曲げられ、底板２２の印刷面に重ねられる。
【００３８】
底片３２、３４のそれぞれの角部には、切欠部３５が設けられており、底片３２、３４が折り曲げられて底板２２に重ねられたとき、底板２２の板片２６及びスリット３１が底片３２、３４に覆われないようになっている。
【００３９】
側板１２の下辺には底板２４が連接されており、裏面を内側にして折目ｂ２で側板１２と直交するように折り曲げられ、底板２２の印刷面に重ねられた底片３２、底片３４の上に重ねられる。
【００４０】
底板２４の下辺には止め板３６が折目ｂ１を介して連接されており、裏面を内側にして折目ｂ１で底板２４と直交するように折り曲げられ、底板２２のスリット３１に差し込まれる。また、止め板３６の折目ｂ１の中央にはスリット３８が形成されており、止め板３６をスリット３１に差し込んだとき、板片２６が差込まれるようになっている。
【００４１】
以上の構成により、底板２２の上に底片３２と底片３４が重ねられ、さらに底板２４が重ねられて、包装箱１０の底壁を形成する。このとき、止め板３６がスリット３１に差し込まれ、板片２６が止め板３６のスリット３８に差し込まれて、折目ｂ１の復元力による底板２４の開放が阻止される。
【００４２】
一方、側板１６の上辺の中央部には、折目ｂ１４を介して蓋止７０が連接されており、折目ｂ１４で折り曲げられるようになっている。また、蓋止７０は裏面を内側にして折目ｂ１５で折り曲げられ、後述するスリット６６に差し込まれる。
【００４３】
側板１６の上辺には連接片４０、４２が、それぞれ折目ｂ９、ｂ１０を介し、所定の間隔を設けて連接されている。また、連接片４０と連接片４２には、折目ｂ１８を介して中仕切板４４が連接されている。連接片４２の端辺４２Ａは、中仕切板４４の端辺４４Ａよりも連接片４０側へオフセットされており、後述する小仕切板５８の端辺５８Ｂが掛止されるようになっている。
【００４４】
また、連接片４２を裏面を内側にして折目ｂ１０で側板１６に対して９０度折り曲げ、さらに折目ｂ１９で９０度折り曲げる。このとき、連接片４２の端辺４２Ａには、折目ｂ１０と折目ｂ１９によって係止部４２Ｂが形成され、小仕切板５８の端辺５８Ｂの端部が掛止されるようになっている。
【００４５】
一方、中仕切板４４は底板２２とほぼ同一形状とされており、側板１６の裏面と連接片４０、４２の裏面が重なるように折目ｂ９及びｂ１０で折り曲げられ、さらに中仕切板４４の印刷面を内側にして連接片４０と直交するように折目ｂ１８で折り曲げられたとき、中仕切板４４が包装箱１０の内側の空間を、底板２２と平行となる面で上の第１収納部と下の第２収納部とに区画する。
【００４６】
中仕切板４４の端辺からは、略矩形状のフラップ４６、４８、５０がそれぞれ折目ａ６、ｂ１１、ａ５を介して連接されている。フラップ４６、４８、５０は、それぞれ印刷面を内側にして折目ａ６、ｂ１１、ａ５で中仕切板４４と直交するように折り曲げられ、且つフラップ４６は側板１８、フラップ４８は側板１２、フラップ５０は側板１４にそれぞれ面接し、包装箱１０の内部に中仕切板４４を保持する。
【００４７】
中仕切板４４とフラップ４８とに跨って略Ｕ字状の開口部５２が穿設されている。フラップ４８が折り曲げられて側板１２と面接状態にあるとき、開口部５２の直線部分５２Ａに指を掛けて引っ張り出すことで、この開口部５２がない場合と比較して、中仕切板４４を引出すことが容易になる。
【００４８】
側板１４の上辺には小連接片５６が折目ｂ６を介して連接されており、裏面を内側にして側板１４に直交するように折目ｂ６で折り曲げられる。さらに、小連接片５６の上辺には、小仕切板５８が折目ｂ７を介して連接されており、裏面を内側にして折目ｂ７で小連接片５６に直交するように折り曲げられる。また、小仕切板５８の端辺５８Ａの中央部には、指掛部６０が形成されている。
【００４９】
小連接片５６と小仕切板５８を折り曲げたとき、中仕切板４４と小仕切板５８の端辺５８Ａとの間に所定の隙間が形成されるようになっている。また、このとき、小仕切板５８の端辺５８Ｂが連接片４２の端辺４２Ａに当接し、折目ｂ７の復元力によって小仕切板５８が展開するのを阻止する。
【００５０】
側板１２の上辺には、蓋６２が折目ｂ３を介して連接されており、裏面を内側にして側板１２に直交するように折目ｂ３で折り曲げられる。蓋６２の上辺からは、止め板６４が折目ｂ４を介して連接されている。止め板６４は裏面を内側にして蓋６２と直交するように折目ｂ４で折り曲げられ、連接片４０と連接片４２の間に差し込まれるようになっている。
【００５１】
止め板６４の折目ｂ４の中央部にはスリット６６が形成されており、蓋止７０が差し込まれるようになっている。また、蓋６２の上辺には、スリット６６と連結して指掛け部６８が形成されている。スリット６６から蓋止７０を外す際に、指掛け部６８によって蓋止７０に指を掛けることができ、蓋止７０が容易に引出せるようになっている。
【００５２】
蓋６２が折り曲げられて包装箱１０の上壁となる。このとき、止め板６４が折り曲げられ、連接片４０、４２の間に差し込まれる。さらに、止め板６４のスリット６６に蓋止７０が差し込まれ、折目ｂ３の復元力による蓋６２の展開が阻止される。
【００５３】
側板１８の上辺にはフラップ５４が折目ｂ１３を介して連接されている。フラップ５４は裏面を内側にして折目ｂ１３で側板１８と直交するように折り曲げられ、蓋６２の内側に格納される。
【００５４】
次に、第１の実施形態の作用について説明する。
【００５５】
図１及び図２に示すように、側板１２、側板１４、側板１６、側板１８はそれぞれ折目ａ２、ａ３、ａ４で折り曲げられて筒体とされ、側板１８と糊代２０とが接着剤で接着されて、包装箱１０の側壁とされる。
【００５６】
ここで、底板２２が折目ｂ８で折り曲げられ、底片３２と底片３４とがそれぞれ折目ｂ５、ｂ１２で折り曲げられて、底板２２の上に重ねられる。さらに、底板２４が折目ｂ２で折り曲げられ、底片３２と底片３４の上に重ねられて、包装箱１０の底面が形成される。このとき、折目ｂ１で折り曲げられた止め板３６が底板２２のスリット３１に差し込まれる。さらに、側板１６の板片２６が折目ｂ１７で一旦印刷面側に折り曲げられ、先端部が折目ｂ１６で折り曲げられて、止め板３６のスリット３８に差し込まれる。このようにして、底板２４が側板１６にロックされる。
【００５７】
一方、フラップ５４と蓋６２がそれぞれ折目ｂ１３及び折目ｂ３で折り曲げられて、フラップ５４と蓋６２が重ねられて包装箱１０の上壁とされる。
【００５８】
蓋６２を折り曲げて包装箱１０の開口部を閉じる際、蓋止７０が一旦折目ｂ１４で側板１４側に折り曲げられ、折目ｂ１５で先端部が折り曲げられて蓋６２のスリット６６に差し込まれる。このようにして、蓋６２が側板１６にロックされる。
【００５９】
次に、連接片４０、４２が折目ｂ９及びｂ１０で折り曲げられ、中仕切板４４が折目ｂ１８で折り曲げられる。さらに、中仕切板４４から連接されているフラップ４６、４８、５０が折目ａ６、ｂ１１、ａ５で折り曲げられて側板１８、１２、１４にそれぞれ面接され、包装箱１０内部に保持される。このとき、中仕切板４４によって包装箱１０の内部は、第１収納部と第２収納部とに区分される。第２収納部には、トレイに入れられたデジタルカメラ等の被包装物が収納される。
【００６０】
一方、小連接片５６が折目ｂ６で折り曲げられ、小仕切板５８が折目ｂ７で折り曲げられると、図３及び図４に示すように、第１収納部内に第３収納部が形成され、この第３収納部には、付属品等の小物類７４が収納されるようになっている。
【００６１】
小仕切板５８は折目ｂ７で折り曲げられたとき、小仕切板５８の端部５８Ａと中仕切板４４との間に所定の隙間が設けられるようになっており、この隙間とほぼ同じ厚さの取扱説明書７２を中仕切板４４の上に収納することが可能となる。
【００６２】
このように、中仕切板４４の上の空間が有効に利用でき、包装箱１０のサイズが大きくならないので、包装箱１０に用いる材料が少なく済み、コストダウンに繋がる。なお、小仕切板５８を折目ｂ７で折り曲げれば、第３収納部は取扱説明書７２の上に形成されることになる。
【００６３】
また、図３に示すように、小連接片５６と小仕切板５８とで第３収納部を形成したとき、小仕切板５８の端辺５８Ｂは連接片４２の端辺４２Ａに係止されると共に、端辺５８Ｂの端部がこの端辺４２Ａの折目Ｂ９と折目ｂ１９との間に形成される係止部４２Ｂに当接し、小仕切板５８が折目ｂ７の復元力によって展開しないようにされている。このような構成は、小仕切板５８の展開防止として中仕切板４４に穴を穿設して小仕切板５８の先端部を差し込む構成と比べたとき、組み立てに要する時間が少なくて済む。
【００６４】
小仕切板５８には指掛部６０が形成されており、第３収納部に収納された小物類７４を取り出す際には、この指掛部６０に指をかけて、小仕切板５８を展開方向へ引き出せば、第３収納部内の小物類７４を取り出すことができる。指掛部６０が備えられていない場合に比べて、第３収納部内に収納された小物類７４を取出すときに楽である。
【００６５】
次に、第２の実施形態の包装箱について説明する。
【００６６】
図５は、第２の実施形態に係る包装箱１０の印刷面側の展開図であり、図６及び図７は、本発明の第２の実施形態に係る包装箱１０の斜視図である。なお、第１の実施形態と共通する部分の説明は割愛する。
【００６７】
図５〜図７に示すように、側板１６の上辺には連接片４０、７８がそれぞれ折目ｂ９、ｂ１９を介し、所定の間隔を設けて連接されている。また、連接片４０、７８には、折目ｂ１８を介して中仕切板４４が連接されている。連接片７８は略Ｌ字状とされ、小仕切板５８に折目ａ７を介して連接された差込片７６の端辺７６Ａが端辺７８Ａに掛止されるようになっており、連接片７８の別の端辺７８Ｂには、小仕切板５８と差込片７６が折目ａ７で折り曲げられて形成される角部７６Ｃが掛止されるようになっている。さらに、中仕切板４４の角部には差込片７６の先端部が差し込まれる係止部８０が形成されている。連接片４０、７８は印刷面を外側にして、連接片７８の裏面と側板１６の裏面が重なるように、それぞれ折目ｂ９、ｂ１９で１８０度折り曲げられる。
【００６８】
また、中仕切板４４の角部には係止部８０が形成されており、差込片７６の先端部が差し込まれるようになっている。
【００６９】
次に、第２の実施形態の作用について説明する。
【００７０】
図５〜図７に示すように、小連接片５６、小仕切板５８をそれぞれ折目ｂ６、折目ｂ７で折り曲げ、差込片７６を折目ａ７で折り曲げたとき、差込片７６の端辺７６Ａが連接片７８の端辺７８Ａに係止され、差込片７６の上方の移動が阻止される。また、小仕切板５８と差込片７６を折目ａ７で折り曲げられたときに形成される角部７６Ｃと、その角部の延長上の差込片７６の端辺７６Ｂが連接片７８の端辺７８Ｂに係止され、折目ｂ７の復元力による小仕切板５８の展開が阻止される。
【００７１】
さらに、差込片７６の先端部は中仕切板４４に形成された係止部８０に係止され、抜け出せないようにされているので、折目ｂ７の復元力による小仕切板５８の展開を確実に阻止することができる。
【００７２】
次に、第３の実施形態の包装箱について説明する。
【００７３】
図８に示すように、第２の実施形態と基本構成は同一だが、第３の実施形態では、差込片７６の先端部に鉤部８２が形成されている。鉤部８２は、折目ｂ７で差込片７６が折り曲げられたとき、中仕切板４４に形成された係止部８０に係止されるようになっている。
【００７４】
次に、第３の実施形態の作用について説明する。
【００７５】
図８に示すように、小仕切板５８の差込片７６に鉤部８２が設けられ、小仕切板５８の差込片７６を、中仕切板４４の係止部８０に差し込んだとき、鉤部８２が係止部８０に引っ掛かって抜け出さないようになっており、折目ｂ７の復元力による小仕切板５８の展開が阻止される。
【００７６】
次に、第４の実施形態の包装箱について説明する。
【００７７】
図９に示すように、第３の実施形態と基本構成は同一だが、第４の実施形態での連接片８６、８８は、第１の実施形態の連接片４０、４２よりも長くされており、裏面を内側にして折目ｂ１８で折り曲げ、さらに印刷面を内側にして折目ｂ１７で折り曲げると、包装箱１０の内部へ張り出し、折曲部９０、９２が形成される。この折曲部９０、９２によって、折目ｂ７の復元力による小仕切板５８の展開が阻止される。
【００７８】
次に、第４の実施形態の作用について説明する。
【００７９】
図９に示すように、連接片８６、８８を折り曲げたとき、折曲部９０、９２が形成される。
【００８０】
折曲部９０、９２は連接片８６、８８を折り曲げ、包装箱１０の内部に張り出すように形成されているので、小仕切板５８に展開防止用の部材等を形成しなくても、確実に小仕切板５８の展開が阻止される。また、連接片８６、８８の部分の寸法を屈曲部の分だけ長くすればよく、包装箱１０の構造が非常に簡単となる。
【００８１】
なお、包装箱１０の内部に張り出す構造であれば、連接片８６、８８を折り曲げて形成される折曲部９０、９２に限らず、連接片８６の小仕切板５８が掛止する端辺から包装箱１０の内部に向かって係止板を突設させてもよい。
【００８２】
また、本実施の形態では蓋６２を設けたが、蓋６２は必ずしも必要ではなく、第１収納部が開放された状態で包装されるものであってもよい。また、蓋６２は、側板１６の上辺に設けられた蓋止７０で固定されたが、側板１６を覆って側板１６の下辺に固定されるものでもよい。
【図面の簡単な説明】
【００８３】
【図１】第１の実施形態に係る包装箱の展開図である。
【図２】第１の実施形態に係る小仕切板が展開された状態を示す包装箱の斜視図である。
【図３】第１の実施形態に係る小仕切板が折り曲げられた状態を示す包装箱の斜視図である。
【図４】第１の実施形態に係る小仕切板が折り曲げられた上体を示す包装箱の断面図である。
【図５】第２の実施形態に係る包装箱の展開図である。
【図６】第２の実施形態に係る小仕切板が展開された状態を示す包装箱の斜視図である。
【図７】第２の実施形態に係る小仕切板が折り曲げられた状態を示す包装箱の斜視図である。
【図８】第３の実施形態に係る小仕切板が展開された状態を示す包装箱の斜視図である。
【図９】第４の実施形態に係る小仕切板が展開された状態を示す包装箱の斜視図である。
【図１０】従来の包装箱の斜視図である。
【図１１】従来の包装箱の断面図である。
【符号の説明】
【００８４】
１０  包装箱（箱本体）
４０  連接片（第１連接片）
４２  連接片（第１連接片）
４２Ａ  端辺（展開防止手段、係止部）
４４  中仕切板（仕切板）
５６  小連接片（第２連接片）
５８  小仕切板（保持板）
６０  指掛部
７６  差込片（展開防止手段）
７８  連接片（第１連接片）
７８Ａ  端辺（展開防止手段、係止部）
８０  係止部（展開防止手段、切込み）
８２  鉤部（展開防止手段、爪部）
８６  連接片（第１連接片）
９０  折曲部（展開防止手段）
【図１】
2005239240.tif 000003
【図２】
2005239240.tif 000004
【図３】
2005239240.tif 000005
【図４】
2005239240.tif 000006
【図５】
2005239240.tif 000007
【図６】
2005239240.tif 000008
【図７】
2005239240.tif 000009
【図８】
2005239240.tif 000010
【図９】
2005239240.tif 000011
【図１０】
2005239240.tif 000012
【図１１】
2005239240.tif 000013